(57)【要約】【課題】構成簡易で比較的廉価にて供給でき、一般家庭においても気軽に使用でき、しかも一度始動すると、その後自動的、継続的に散水、給水動作を行ない得る自動給水装置を提供することを課題とする。【解決手段】水道管８が引き込まれると共に、そこから給水チューブ２が出される水槽１を設け、水槽１内に、槽内水量に応じて上下動するフロート５を配備し、フロート５に、一端が水道管８の引き込み端に設置される止水栓９を開閉するレバー１０に固定された線材１１の他端を固定して成り、フロート５は、下降して線材１１を緊張させることによってレバー１０を引いて止水栓９を開動作させることが可能であり、また、上昇してレバー１０に当接してこれを押し上げることにより止水栓９を閉動作させることが可能であり、以て水槽１内に常時所定量の水が貯溜され、常時給水チューブ２からの所定量の給水が行われることを可能にしたことを特徴とする。【選択図】図２
0003117706.tif 000002
【実用新案登録請求の範囲】
【請求項１】
水道管が引き込まれると共に、そこから給水チューブが出される水槽を設け、前記水槽内に、槽内水量に応じて上下動するフロートを配備し、前記フロートに、一端が前記水道管の引き込み端に設置される止水栓を開閉するレバーに固定された線材の他端を固定して成り、前記フロートは、下降して前記線材を緊張させることによって前記レバーを引いて前記止水栓を開動作させることが可能であり、また、上昇して前記レバーに当接してこれを押し上げることにより前記止水栓を閉動作させることが可能であり、以て前記水槽内に常時所定量の水が貯溜され、常時前記給水チューブから所定量の給水が行われることを可能にしたことを特徴とする自動給水装置。
【請求項２】
前記給水チューブの中途に、前記給水チューブを挟む２枚の挟圧板を備えていて、一方の挟圧板に接している調整ネジの進退によって前記２枚の挟圧板による挟圧力を加減することによって通水量の調節が可能な水量調節具を配備した請求項１に記載の自動給水装置。
【請求項３】
前記給水チューブは分岐している請求項１又は２に記載の自動給水装置。
【請求項４】
前記給水チューブの先端にノズルを取り付けた請求項１乃至３のいずれかに記載の自動給水装置。
【考案の詳細な説明】
【技術分野】
【０００１】
本考案は自動給水装置、より詳細には、玄関先や庭園等への水撒き、園芸植物や家庭菜園への水遣り、農家での農作物への給水、あるいは、家畜等への給水等に利用される自動給水装置に関する。
【背景技術】
【０００２】
上記水撒き、水遣り、給水等は、毎日のように人手により行われるが、その作業には手間がかかり、また、旅行や連休等のために、給水がままならないこともある。
【０００３】
この水撒き、給水等の作業を定時に自動的に行なう装置も種々考えられ、使用されているが、一般にかかる装置は複雑で高価なものが多く、手軽に使用し得るものではない。
【特許文献１】特開２００３−２６８７５５号公報
【特許文献２】特開２００３−１４３９７８号公報
【特許文献３】特開２００２−２７８５１号公報
【特許文献４】実公平８−６１２６号公報
【考案の開示】
【考案が解決しようとする課題】
【０００４】
上述したように、従来自動散水装置の如きものは種々考えられ、使用されてはいるが、それらは複雑且つ高価で、一般的ではなかったので、本考案は、構成簡易で比較的廉価にて供給でき、一般家庭においても気軽に使用でき、しかも一度始動すると、その後自動的、継続的に散水、給水動作を行ない得る自動給水装置を提供することを課題とする。
【課題を解決するための手段】
【０００５】
上記課題を解決するための請求項１に記載の考案は、水道管が引き込まれると共に、そこから給水チューブが出される水槽を設け、前記水槽内に、槽内水量に応じて上下動するフロートを配備し、前記フロートに、一端が前記水道管の引き込み端に設置される止水栓を開閉するレバーに固定された線材の他端を固定して成り、前記フロートは、下降して前記線材を緊張させることによって前記レバーを引いて前記止水栓を開動作させることが可能であり、また、上昇して前記レバーに当接してこれを押し上げることにより前記止水栓を閉動作させることが可能であり、以て前記水槽内に常時所定量の水が貯溜され、常時前記給水チューブから所定量の給水が行われることを可能にしたことを特徴とする自動給水装置である。
【０００６】
好ましくは、前記給水チューブの中途に、前記給水チューブを挟む２枚の挟圧板を備えていて、一方の挟圧板に接している調整ネジの進退によって前記２枚の挟圧板による挟圧力を加減することによって通水量の調節が可能な水量調節具を配備する。前記給水チューブは分岐させることもあり、また、前記給水チューブの先端にノズルを取り付けることもある。
【考案の効果】
【０００７】
本考案は上述したとおりであって、構成簡易で比較的廉価にて供給でき、一般家庭においても気軽に使用でき、しかも一度始動すると、その後長期に亘り、自動的且つ継続的に散水、給水動作を行ない得る効果があり、また、給水量の調整も可能なる効果がある。
【考案を実施するための最良の形態】
【０００８】
本考案を実施するための好ましい形態について、添付図面に依拠して説明する。図１は本考案に係る自動給水装置の使用状態を示す図で、それは、水道管８が引き込まれる水槽１と、水槽１から出る給水チューブ２と、給水チューブ２の中途に配備される水量調節具３と、給水チューブ２の先端に必要に応じて取り付けられるノズル４とから成る。
【０００９】
図２及び図３は水槽１の内部構造を示す図で、そこに示されるように、水槽１内にはフロート５が配備される。フロート５は、水槽１の内壁に取り付けられた揺動アーム６に支持されて、水槽１内の水嵩に応じて上下動する。
【００１０】
水槽１内に引き込まれる水道管８は、水槽１の上部に配置される支持板７に上方から差し込まれ、そこに固定される。水道管８の支持板７の下に突出する部分に止水栓９が設置され、止水栓９を開閉操作するための、例えばＪの字形のレバー１０が取り付けられる。レバー１０の先端部には金属線その他の丈夫な線材１１の一端が取り付けられ、線材１１の他端はフロート５の上面に固定される。１２は水槽１の蓋である。
【００１１】
図４乃至図６は、水量調節具３の構成、作用を示す図で、水量調節具３は、給水チューブ２が挿通される容体１５と、容体１５内に設置される上下一対の挟圧板１６、１７と、蓋１８及びこれに設置される調整ネジ１９とを含む。挟圧板１６と挟圧板１７は、４本の、通例ネジである支持ポスト２０に四隅を支持されて給水チューブ２を挟み、上側の挟圧板１６のみ、支持ポスト２０に沿って上下に摺動可能である。
【００１２】
挟圧板１６には調整ネジ１９の先端が当たっていて、調整ネジ１９をネジ込むことによって押下されるようになっている。従って、調整ネジ１９の進退によって挟圧板１６を上下動（上方への移動は給水チューブ２の復元力による。）させることができ、以て給水チューブ２の圧潰度合の調整、換言すれば、通水量の調整が可能になる。
【００１３】
給水チューブ２の先端は必要に応じて分岐させ、各分岐端には必要に応じて適宜多孔筒の如きノズル４を取り付け、給水対象となる鉢２２等の土中に差し込む。給水チューブ２は、水量調節具３に至る前に分岐させ、各分岐路に水量調節具３を配備することもある。
【００１４】
上記構成において、水槽１内が空の状態、即ち、フロート５が下降端にあり、止水栓９が開状態にあるときに、給水チューブ２の先端を鉢２２等の土中に差し込み、水道管８に給水すると、止水栓９を通って水槽１内に水が供給されて次第に貯まり、一部が給水チューブ２に流れ出す。水量が増すに伴いフロート５が上昇し、やがてレバー１０に当たって、これを押し上げる。かくしてレバー１０が回動して次第に止水栓９を閉め、水槽１が満杯になった辺りで完全に止水栓９を閉める。かくして水道管８からの給水は一時停止する。
【００１５】
しかし、その間並びにその後も給水チューブ２からの流出は少しずつではあるが継続するため、水槽１内に貯まった水が少しずつ減少し、フロート５が下がっていく。そして、フロート５がある位置まで下がると、弛んでいた線材１１が緊張し、レバー１０を引張って回動させる。かくして閉まっていた止水栓９が徐々に開き、再び水道管８からの給水が始まって水槽１内の水嵩が増していく。
【００１６】
以上の動作は、水槽１内の水嵩に応じて自動的且つ反復的に行われるので、給水チューブ２への給水、即ち、鉢２２等への給水が途切れることはない。鉢２２等への給水量の調整は、水量調節具３の調整ネジ１９を進退させて行なう。
【００１７】
本装置は、一般家庭における玄関先や庭等への水撒き、園芸植物や家庭菜園等への水遣りだけでなく、大型化して農家における農作物への給水や家畜等への給水等、種々の用途に利用可能である。
【００１８】
そして、構造簡易であるため、製造容易で廉価にて供給でき、メンテナンスも容易という特徴がある。また、用途に合わせ、水量調節具３を操作して供給水量を調整することもできる。
【００１９】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００２０】
【図１】本考案に係る自動給水装置の全体構成及び使用状態を示す図である。
【図２】本考案に係る自動給水装置における水槽の内部構造を示す図である。
【図３】本考案に係る自動給水装置における水槽の内部構造を示す図である。
【図４】本考案に係る自動給水装置における水量調節具を示す図である。
【図５】本考案に係る自動給水装置における水量調節具の内部構造を示す図である。
【図６】図４におけるＡ−Ａ線断面図である。
【符号の説明】
【００２１】
１        水槽
２        給水チューブ
３        水量調節具
４        ノズル
５        フロート
６        揺動アーム
７        支持板
８        水道管
９        止水栓
１０        レバー
１１        線材
１２        蓋
１５        容体
１６、１７  挟圧板
１８        蓋
１９        調整ネジ
２０        支持ポスト
２２        鉢
【図１】
0003117706.tif 000003
【図２】
0003117706.tif 000004
【図３】
0003117706.tif 000005
【図４】
0003117706.tif 000006
【図５】
0003117706.tif 000007
【図６】
0003117706.tif 000008